(57)【要約】      （修正有）【課題】患者の疼痛や不快感がなく同じ位置を保持することが容易で撮影失敗がなく、より正確な映像を得られる。【解決手段】ＣＣＤ方式やフィルム方式による口内法デジタルＸ線撮影装置のセンサー緩衝具に被覆されたセンサーを、術者が患者の口腔内の所定の患部（歯尖端部等）に適切に指で配置すると共に、その位置を保持しやすくし、口腔内へ位置付けしたことによる患者自身が有する違和感や疼痛を改善し、操着性を良好にしたセンサー緩衝具を提供する。【選択図】図１
0003134839.tif 000002
【実用新案登録請求の範囲】
【請求項１】
口内法デジタルＸ線撮影装置のセンサー（以下センサーと称する）において、患者の口腔内に挿入し、該患者の歯根を含む歯周組織及び歯牙部を該患者の外部よりＸ線が照射される口内法デジタルＸ線撮影装置に用いられるセンサーと当該部位との間に使用される緩衝具あって、該センサー緩衝具は該患者協力を得られる状態を保持できることを特徴とするセンサー緩衝具。
【請求項２】
請求項１に記載のセンサー緩衝具において、前記センサー緩衝具は、中空でセンサーに合わせた形状の封鎖された両側面の一方に開口部を有し、外表面が防滑状に形成され，弾性を有することを特徴とする請求項１に記載のセンサー緩衝具。
【請求項３】
請求項１に記載のセンサー緩衝具において、前記センサー緩衝具は、中空でセンサーに合わせた形状あって相対する両面の一方の面で、該患者の歯根を含む歯周組織及び歯牙部に圧接する面が親和性及び柔軟性を有する事を特徴とする請求項１又は２に記載のセンサー緩衝具。
【請求項４】
請求項１に記載のセンサー緩衝具において、前記センサー緩衝具は、感染症予防や患者毎の患部に応じた形状に合わせて交換可能としたことを特徴とする請求項１又は２に記載のセンサー緩衝具。
【考案の詳細な説明】
【技術分野】
【０００１】  本考案は、歯科Ｘ線撮影診断の改善を図ったセンサー緩衝具に関する。
【背景技術】
【０００２】  歯科治療において、歯牙の状態を知るために、Ｘ線（レントゲン）撮影を行うが、その場合、歯列全体を撮影するパノラマ撮影と、歯列の一部を撮影するデンタル撮影とがある。デンタル撮影は、Ｘ線フィルムを患者の口腔内に入れ、患者の外部から歯牙を介してＣＴ或いは該Ｘ線フィルムに向けてＸ線を照射し、Ｘ線フィルム上に該歯牙を撮影した後現像し、スキャナー等を介してデジタル変換しコンピュータ上に取り込み、画面表示をして撮影した歯牙のＸ線像観察する。【０００３】  一方、歯列の一部を撮影するデンタル撮影は、Ｘ線撮影装置のセンサーを直接口腔内に直接挿入し、患者の外部から歯牙を介して該センサーに向けてＸ線を照射し、該歯牙の撮影データを直接コンピュータ上に取り込み、画面表示をして撮影した歯牙のＸ線像を観察する。【０００４】  この様なことから診療の迅速性や、正確性が瞬時に得られると同時により正確な診断治療の為のデータが獲得でき、また該データの加工・分析の容易性から、Ｘ線フィルムを使用しない方法がとられ、合わせてＸ線被爆量が大幅に低減できる。【０００５】  口内法デジタルＸ腺撮影装置のセンサーには通常ＣＣＤ（電荷結合素子）センサが使用されるが、歯根を含む歯周組織及び歯牙部の画像を得るためにセンサの前面を該部位に密着させセンサを垂直に位置決めし、固定して撮影する。【０００６】  Ｘ線画像撮影装置のセンサーと歯根尖周囲部位及び咬翼部位は、画像領域をできるだけ大きく精細に捕捉しなければならないためより正確に密着させる事が必要となる。一方患者は、口腔内にセンサーを挿入することから、患者の協力を得て、口をセンサーの周囲で大きく開けて、苦痛を伴わない形状や材質を備えていることが重要である。これは、患者が苦痛のあまり過剰に反応したり、口の中が容易に刺激されたりする場合に特に重要である。【０００７】  口内法デジタルＸ腺撮影装置のセンサーと歯牙の歯根尖周囲部位及び咬翼部位の位置決めが重要であるが、患者の苦痛や不快感をできるだけ排除しなければ所望の領域の高品質の画像を捕捉できなかった。
【特許文献１】特開２００４−１２１８４６
【考案の開示】
【考案が解決しようとする課題】
【０００８】  口内法デジタルＸ腺撮影装置のセンサーは、多数の患者の口腔内に挿入されて使用されるもので感染予防のためその都度ビニールシートをディポーザブルに使用して処理していた。また、口内法デジタルＸ腺撮影装置のセンサーは、材質が硬い樹脂や金属製のもので、患者の口腔内に入れて歯列に密着させることは、センサーの角部分が患者の歯牙、口唇等に当り、患者に苦痛や不快感を与える等の問題があった。【０００９】  本発明の目的は、上述の問題点を解決することにある。詳細には、本発明のセンサは、患者との良好な協力関係を可能にしなければならず、また、センサーが患者の口腔内に挿入された場合に高品質の画像を撮影できなければならない。
本発明の実施例によれば、これらを同時に満足させるためにセンサー緩衝具を提供するもので、センサーを該患者の協力を得られる状態を保持できるために、滑りにくい弾性素材であって交換可能であることを特徴とするセンサー緩衝具を提供するものである。
【課題を解決するための手段】
【００１０】  請求項１の発明は、口内法デジタルＸ線撮影装置のセンサーのセンサー緩衝具であって、当該センサーを患者の口腔内に挿入し、該患者の歯牙を通して該患者の外部よりＸ線が照射される口内法デジタルＸ線撮影装置のセンサーに用いられる緩衝具であって、該緩衝具は親和性のある、弾力性のあるものであって前記センサー全体を着脱自在に包囲するものであることを特徴とし、合わせて、より衛生的なＸ線撮影ができるようにしたものである。【００１１】  請求項２の発明は、請求項１の発明において、前記センサー緩衝具は、中空でセンサーに合わせた形状の封鎖された両側面の一方に開口部を有し、外表面が防滑状にコーティング形成され弾性を有することを特徴としたもので、該センサーと歯根を含む歯周組織及び歯牙部位の位置決めや該センサーと該センサーを保持する指が大変滑りやすいため、センサーを適切な位置に固定することが出来るようにしたものである。
患者の口腔内に入れた時に、適切な位置に安定して固定され、かつ、患者に不快感、異和感を与えることなく固定できるようにしたものである。【００１２】  請求項３の発明は、請求項１の発明において、前記センサー緩衝具は、中空でセンサーに合わせた形状であって相対する両面の一方の面で、該患者の歯根を含む歯周組織及び歯牙部に圧接する面が親和性及び柔軟性を有する事を特徴としたもので、術者は映像のノイズを除去し、感度をあげるために圧接面の空間を極力排除するためより強く指で圧接することとなるので患者に疼痛と不快感を与えるのを抑制するためのものである。【００１３】  請求項４の発明は、請求項１の発明において、前記センサー緩衝具は、感染症予防や患者毎の患部に応じた形状に合わせて交換可能としたことを特徴としたもので、子供や高齢者等の患者の口腔状態や形状に合わせたセンサー緩衝具であって、より衛生的なＸ線撮影を可能にするとともに、センサーを繰り返し使用し得るようにしたものである。【００１４】  センサー緩衝具の快適な形状を得るための別の要因は、前隅部及び後隅部に丸味を付けることである。隅部及び半径は、実施例によっては対称で等大であり面取りがされている。【００１５】  センサー緩衝具は、センサーが撮影時に患者に咬まれたり、歯に当ったりすることにより、或いは、落下したりすることにより外部から受ける衝撃を吸収してセンサーを守ることができるように、柔軟で弾力性のある物（例えば、樹脂、シリコン、合成ゴム等）で製作されている。また、上述のように、柔軟で弾力性のある部材で製作しておくと、該センサー緩衝具が付いた該Ｘ線センサーを歯列に当てる際に、患者に不快感を与えるようなこともない。
【考案の効果】
【００１６】  口内法デジタルＸ線撮影診断において、患者に疼痛と不快感を防止して治療の協力が得られると同時に、的確な診断効果が獲得でき、且つインフォームドコンセントにも寄与するものである。
【考案を実施するための最良の形態】
【００１７】  センサー緩衝具１０は、中空でセンサーに合わせた形状をなし、左側面１、右側面４、及び二つの横側面２、３を含む。左側面１は、二つの前隅部８、９のところで二つの横側面２、３に接合する。同様に、右側面４は、二つの後隅部１１、１２のところで二つの横側面２、３に接合する。【００１８】  センサ緩衝具１０の左側面１は、リード線２１のために中央に二つの前隅部８、９方向に開口部７を備えている。センサー２０によって得られた画像情報を外部コンピュータに伝達するためである。【００１９】  図１は、更に、患者に疼痛と不快感を与えるのを抑制し、患者の快適性を高めるため、左側面、右側面、及び横側面２、３のなす折返しの縁部は、丸味が付けてある。【００２０】  本実施例では、患者の口に快適に装着するため、前隅部８、９及び後隅部１１、１２には、センサを患者の口内でできるだけ歯に近づけて容易に位置決めできるように、及び歯根を含む歯周組織及び歯牙部の画像を撮影するためにセンサ２０を垂直方向に置くときの患者の疼痛と不快感を与えるのを抑制するため、大きな丸味が付けてある。【００２１】  図４の断面図は、センサー緩衝具１０は、並びにこのセンサー緩衝具１０に埋設したセンサー２０を示す。センサー２０は、例えば、ＣＣＤやフィルム状であってもよい。【００２２】  センサー緩衝具１０の外観が、従来技術では全く考慮されてこなかった重要な特徴であるということである。
センサー緩衝具１０で被覆したセンサー２０を患者の口に入れるときに患者の不快感を抑制し協力を得るため、先ず最初に、センサー緩衝具１０は、快適であり且つ不快でなく、痛みを生じることもないように見えなければならない。患者の快適性は、快適であると感じることにより始まる。【００２３】  従って、センサー緩衝具１０の縁部には、本実施例では比較的大きな縁部丸味半径で全ての方向に丸味が付けてある。この丸味を帯びた形状により、患者にとって受け入れ易くすることによって、実際にセンサー緩衝具１０を歯牙に圧着し易くし、最終的には医療的画像の品質向上に寄与した。【００２４】  センサー緩衝具１０は、感染症予防のため患者に交換可能としてあるが、該センサー緩衝具を覆うビニールシート等を使用してもよい。この場合該ビニールシート自身に該センサー緩衝具１０と同じ機能を持たせることも可能である。【００２５】  センサー緩衝具１０の左側部１は、リード線８のために中央に二つの前隅部８、９方向に開口部７をに備えている。センサ１０によって得られた画像情報を外部コンピュータに伝達するためである。この実施例では、左側部１に設けられているが他の横側面や右側面に設けることも可能である。これは、限られた口腔内でＸ線画像の撮影が容易に行えるようにするためである。
【図面の簡単な説明】
【００２６】
【図１】本発明によるセンサー緩衝具の正面図である。
【図２】本発明によるセンサー緩衝具の左側面図である。
【図３】本発明によるセンサー緩衝具の右側面図である。
【図４】本発明によるセンサー緩衝具の裏断面図である。
【符号の説明】
【００２７】  １  左側面
２、３  横側面
４  右側面
５  表面
６  裏面
７  開口部
８、９  前隅部
１０  センサー緩衝具
１１，１２  後隅部
２０  センサー
２１  リード線
【図１】
0003134839.tif 000003
【図２】
0003134839.tif 000004
【図３】
0003134839.tif 000005
【図４】
0003134839.tif 000006
【手続補正書】
【提出日】平成19年5月21日(2007.5.21)
【手続補正１】
【補正対象書類名】実用新案登録請求の範囲
【補正対象項目名】全文
【補正方法】変更
【補正の内容】
【実用新案登録請求の範囲】
【請求項１】
中空でセンサーを抱合する弾性材であって、長方形状の封鎖された両側面の一方に開口部を有し、外表面が防滑状に形成されることを特徴とするセンサー緩衝具。
【請求項２】
請求項１に記載のセンサー緩衝具の外表面の一方が、親和性及び柔軟性を有する弾性材である事を特徴とする請求項１に記載のセンサー緩衝具。